(57)【要約】【課題】不要輻射を低減することが可能な電子機器を提供する。【解決手段】第１のケーブル（５）と第２のケーブル（６）とを含むケーブル（５）を介して画像信号を入力または出力する電子機器（１）であって、第１のケーブルおよび第２のケーブルのそれぞれを接続することが可能なコネクタ端子（４１）と、第１のケーブルを介して、第１の信号線（３１）を通って入力または出力される第１の信号を処理する第１の信号処理部（１５）と、第２のケーブルを介して、第２の信号線（３２）を通って入力または出力される第２の信号を処理する第２の信号処理部（１７）と、コネクタ端子と第２の信号処理部との間の第２の信号線の接続状態を切り替えるスイッチ部（１６）と、第１の信号処理部により検出された第１の信号線の状態と第２の信号処理部により検出された第２の信号線の状態とに基づいてスイッチ部を制御する制御部（１８）とを有する。【選択図】図１
2018063275.tif 000002
【特許請求の範囲】
【請求項１】
第１のケーブルと第２のケーブルとを含むケーブルを介して画像信号を入力または出力する電子機器であって、
前記第１のケーブルおよび前記第２のケーブルのそれぞれを接続することが可能なコネクタ端子と、
前記第１のケーブルを介して、第１の信号線を通って入力または出力される第１の信号を処理する第１の信号処理部と、
前記第２のケーブルを介して、第２の信号線を通って入力または出力される第２の信号を処理する第２の信号処理部と、
前記コネクタ端子と前記第２の信号処理部との間の前記第２の信号線の接続状態を切り替えるスイッチ部と、
前記第１の信号処理部により検出された前記第１の信号線の状態と前記第２の信号処理部により検出された前記第２の信号線の状態とに基づいて、前記スイッチ部を制御する制御部と、を有することを特徴とする電子機器。
【請求項２】
前記スイッチ部は、
前記コネクタ端子を介して前記第２のケーブルに接続された前記第２の信号線を前記第２の信号処理部に電気的に接続する第１の状態と、
前記第２の信号線をＧＮＤに接続する第２の状態と、に切り替え可能であることを特徴とする請求項１に記載の電子機器。
【請求項３】
前記制御部は、前記第１の信号処理部が前記第１の信号を検出し、かつ前記第２の信号処理部が前記第２の信号を検出しない場合、前記第２の信号線を前記ＧＮＤに接続するように前記スイッチ部を制御することを特徴とする請求項２に記載の電子機器。
【請求項４】
前記第２の信号線は、複数の信号線を含み、
前記スイッチ部は、前記複数の信号線を通る前記第２の信号の時間遅延を補正する補正回路を有することを特徴とする請求項２または３に記載の電子機器。
【請求項５】
前記第２の信号線は、複数の信号線を含み、
前記スイッチ部は、前記複数の信号線を通る前記第２の信号を一時的に保持するメモリを有し、
前記メモリは、前記複数の信号線を通る前記第２の信号の時間を揃えて出力することを特徴とする請求項２または３に記載の電子機器。
【請求項６】
前記スイッチ部は、
前記コネクタ端子を介して前記第２のケーブルに接続された前記第２の信号線を前記第２の信号処理部に電気的に接続する第１の状態と、
前記第２の信号線を前記第２の信号処理部から物理的に切断する第２の状態と、に切り替え可能であることを特徴とする請求項１に記載の電子機器。
【請求項７】
前記制御部は、前記第１の信号処理部が前記第１の信号を検出し、かつ前記第２の信号処理部が前記第２の信号を検出しない場合、前記第２の信号線を前記第２の信号処理部から物理的に切断するように前記スイッチ部を制御することを特徴とする請求項６に記載の電子機器。
【請求項８】
前記制御部は、
前記第１の信号処理部が前記第１の信号を検出し、かつ前記第２の信号処理部が前記第２の信号を検出した場合、前記スイッチ部を前記第１の状態に制御し、
前記第１の信号処理部が前記第１の信号を検出し、かつ前記第２の信号処理部が前記第２の信号を検出しない場合、前記スイッチ部を前記第２の状態に制御することを特徴とする請求項２乃至７のいずれか１項に記載の電子機器。
【請求項９】
前記画像信号は、ＤＶＩの規格に対応する信号であり、
前記制御部は、
Ｄｕａｌ−Ｌｉｎｋモードにおいて、前記スイッチ部を前記第１の状態に制御し、
Ｓｉｎｇｌｅ−Ｌｉｎｋモードにおいて、前記スイッチ部を前記第２の状態に制御することを特徴とする請求項２乃至８のいずれか１項に記載の電子機器。
【請求項１０】
前記電子機器は、画像出力装置から前記ケーブルを介して前記画像信号を入力し、該画像信号に対応する画像を投射する画像投射装置であることを特徴とする請求項１乃至９のいずれか１項に記載の電子機器。
【請求項１１】
前記電子機器は、画像出力装置から、前記ケーブルを介して前記画像信号を入力し、該画像信号に対応する画像を表示する画像表示装置であることを特徴とする請求項１乃至９のいずれか１項に記載の電子機器。
【請求項１２】
前記電子機器は、前記ケーブルを介して画像入力装置に前記画像信号を出力する画像出力装置であることを特徴とする請求項１乃至９のいずれか１項に記載の電子機器。
【発明の詳細な説明】
【技術分野】
【０００１】
本発明は、不要輻射を低減する電子機器に関する。
【背景技術】
【０００２】
従来から、画像投影装置やＰＣモニタへの映像信号の出力インターフェースの規格として、ＤＶＩ（Ｄｉｇｉｔａｌ  Ｖｉｓｕａｌ  Ｉｎｔｅｒｆａｃｅ）やＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）がある。このような映像信号の伝送には、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）方式の高速な差動信号が使用される。
【０００３】
例えば、伝送ケーブルを介して接続した画像出力装置と画像入力装置のうち一方の装置のコネクタ端子はＤＶＩ規格のＳｉｎｇｌｅ−Ｌｉｎｋモードに対応するが、他方の装置のコネクタ端子はＤＶＩ規格のＤｕａｌ−Ｌｉｎｋモードに対応する場合がある。このような場合、伝送ケーブルの一部は、一方の装置のコネクタ端子から先において未接続状態であり、片接続状態となって伝送ケーブルの導体線が高インピーダンスになる。このとき、高インピーダンス状態にある導体線に流れ込んだノイズが導体線をアンテナにして空間に放射され、不要輻射が発生する。
【０００４】
このような不要輻射は、画像投射装置やＰＣモニタなどの画面をちらつかせるノイズを発生させる。また、その放射量が大きい場合には、周辺の電気製品にも影響を与えて誤作動を生じさせうる。また、このような不要輻射が発生するか否かは、伝送ケーブルを介して接続する画像出力装置と画像入力装置との組み合わせにより決定されるため、伝送ケーブルやコネクタ端子の外見で判別することができない。このため、不要輻射対策が困難であり、不要輻射の対策には時間とコストを要する。また近年では、より高精細な画像を伝送するために高速な動作クロックが用いられており、不要輻射の影響が大きい。
【０００５】
特許文献１には、装着されたケーブルの種類を表示する画像表示装置が開示されている。
【先行技術文献】
【特許文献】
【０００６】
【特許文献１】特許第４８２１８２４号
【発明の概要】
【発明が解決しようとする課題】
【０００７】
しかしながら、特許文献１に開示された画像表示装置では、不要輻射が発生しうるケーブルの種類に関する警告を表示することは可能であるとしても、不要輻射の発生を防止（低減）することはできない。
【０００８】
そこで本発明は、不要輻射を低減することが可能な電子機器を提供する。
【課題を解決するための手段】
【０００９】
本発明の一側面としての電子機器は、第１のケーブルと第２のケーブルとを含むケーブルを介して画像信号を入力または出力する電子機器であって、前記第１のケーブルおよび前記第２のケーブルのそれぞれを接続することが可能なコネクタ端子と、前記第１のケーブルを介して、第１の信号線を通って入力または出力される第１の信号を処理する第１の信号処理部と、前記第２のケーブルを介して、第２の信号線を通って入力または出力される第２の信号を処理する第２の信号処理部と、前記コネクタ端子と前記第２の信号処理部との間の前記第２の信号線の接続状態を切り替えるスイッチ部と、前記第１の信号処理部により検出された前記第１の信号線の状態と前記第２の信号処理部により検出された前記第２の信号線の状態とに基づいて、前記スイッチ部を制御する制御部とを有する。
【００１０】
本発明の他の目的及び特徴は、以下の実施例において説明される。
【発明の効果】
【００１１】
本発明によれば、不要輻射を低減することが可能な電子機器を提供することができる。
【図面の簡単な説明】
【００１２】
【図１】実施例１における電子機器（画像投射装置）の構成を示すブロック図である。
【図２】実施例１における電子機器の動作を示すフローチャートである。
【図３】実施例２における電子機器（画像投射装置）の構成を示すブロック図である。
【図４】実施例２における電子機器の動作を示すフローチャートである。
【図５】実施例３における電子機器（画像出力装置）の構成を示すブロック図である。
【図６】実施例３における電子機器（画像出力装置）の動作を示すフローチャートである。
【発明を実施するための形態】
【００１３】
以下、本発明の実施例について、図面を参照しながら詳細に説明する。各図において、同一の部材については同一の参照符号を付し、重複する説明は省略する。
【００１４】
画像投射装置（プロジェクタ）や画像表示装置（ＰＣモニタ）などの電子機器に対して、出力画像を出力するコンピュータ（ＰＣ）などの機器を接続するための伝送ケーブルに関して、伝送ケーブル内の導電体（信号線）が電気的に片接続の状態になる場合がある。このような片接続の導電体は、インピーダンスが高く、流れ込むノイズが放射しやすい状態になっている。そこで本実施例では、伝送ケーブル内の電気的に片接続の状態にある導電体のインピーダンスを安定させて、不要輻射を低減させる。以下、不要輻射を低減させるための電子機器の構成について、各実施例において説明する。
【実施例１】
【００１５】
まず、図１を参照して、本発明の実施例１における電子機器（不要輻射対策装置）について説明する。図１は、画像投射装置１（電子機器）、画像出力装置２、および、画像投射装置１と画像出力装置２とを接続するケーブル４の構成を示すブロック図である。画像投射装置１は、不要輻射を低減するように構成されている。
【００１６】
画像投射装置１は、光源７として高圧水銀ランプを有する。画像投射装置１は、光源からの光を用いて、各パネル（液晶パネル）を介して様々な映像（画像）をスクリーン（不図示）に投射することができる。スクリーンに投射される画像に対応する信号（画像信号）は、画像出力装置２から画像投射装置１へ入力される。画像出力装置２は、コンピュータ（ＰＣ）や映像ディスクプレーヤなどであり、様々な映像を作り出す信号処理部３（信号処理ＩＣ）を有する。画像出力装置２から画像投射装置１へ入力される画像信号（入力画像）は、ＤＶＩ（Ｄｉｇｉｔａｌ  Ｖｉｓｕａｌ  Ｉｎｔｅｒｆａｃｅ）やＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）などのデジタル信号である。ただし、入力画像はこれらに限定されるものではなく、他のデジタル信号や、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）などのアナログ信号でもよい。
【００１７】
画像出力装置２からの出力信号（画像信号）は、高速のデジタル信号として、ケーブル４（ＤＶＩ＿Ｄｕａｌ−Ｌｉｎｋケーブル）を介して画像投射装置１へ伝送される。ケーブル４は、第１のケーブル５および第２のケーブル６を含む。このように画像投射装置１は、第１のケーブル５と第２のケーブル６とを含むケーブル５を介して画像信号を入力する電子機器である。
【００１８】
第１のケーブル５は、第１の信号ＴＭＤＳ＿Ｄａｔａ１を伝送し、差動信号３ペアの計６本の信号線（導体線）で構成されている。第２のケーブル６は、第２の信号ＴＭＤＳ＿Ｄａｔａ２を伝送し、差動信号３ペアの計６本の信号線（導体線）で構成されている。光源７は、高圧水銀ランプである。光源７からの光は、プリズムユニット８（プリズム装置）に向けて出射する。プリズムユニット８は、光源７からの光を、三原色である赤、青、緑に分解し、各色に対応するパネル（赤色用パネル９、青色用パネル１０、緑色用パネル１１）に送る。プリズムユニット８は、各パネルからの反射光を合成し、レンズ１２（投射レンズ）に送る。レンズ１２は、プリズムユニット８から送られた光をスクリーン（不図示）に向けて投射する。
【００１９】
各色のパネルの映像を投射するには光源７を発光させる必要がある。このためバラスト装置１３は、電源回路１４から供給された電力を用いて、光源７を点灯させるための高電圧を作り出す。電源回路１４は、外部ＡＣ電源（不図示）から商用電源を得てバラスト装置１３などの各部に必要な各種の電圧を作り、電圧を各部に供給する。
【００２０】
画像投射装置１は、画像出力装置２からケーブル４（第１のケーブル５、第２のケーブル６）を介して入力された画像信号を処理する信号処理部１５、１７（信号処理ＩＣ）を有する。信号処理部１５（第１の信号処理部）は、画像出力装置２から第１のケーブル５を介して、第１の信号線３１を通って入力された高速デジタル信号（第１の信号ＴＭＤＳ＿Ｄａｔａ１）を処理し、処理後の第１の信号を画像処理部１９（画像処理ＩＣ）に出力する。信号処理部１７（第２の信号処理部）は、画像出力装置２から第２のケーブル６を介して、第２の信号線３２を通って入力された高速デジタル信号（第２の信号ＴＭＤＳ＿Ｄａｔａ２）を処理し、処理後の第２の信号を画像処理部１９（画像処理ＩＣ）に出力する。スイッチ部１６（切り替え部）は、コネクタ端子４１と信号処理部１７との間の第２の信号線３２の接続状態を切り替える。本実施例において、スイッチ部１６は、第２のケーブル６を介して入力された第２の信号ＴＭＤＳ＿Ｄａｔａ２を、基板上のＧＮＤに接続する（接地する）か、または、信号処理部１７（信号処理ＩＣ）へ伝送するかを選択する（切り替える）。すなわちスイッチ部１６は、コネクタ端子４１を介して第２のケーブル６に接続された第２の信号線３２を信号処理部１７に電気的に接続する第１の状態と、第２の信号線３２をＧＮＤに接続する第２の状態と、に切り替え可能である。
【００２１】
ＣＰＵ１８は、信号処理部１５が第１の信号（第１のケーブル５を介して入力された信号）を検出し、かつ信号処理部１７が第２の信号（第２のケーブル６を介して入力された信号）を検出した場合、スイッチ部１６を第１の状態に制御する。一方、ＣＰＵ１８は、信号処理部１５が第１の信号を検出し、かつ信号処理部１７が第２の信号を検出しない場合、スイッチ部１６を第２の状態に制御する。本実施例において、画像信号はＤＶＩの規格に対応する信号である。そしてＣＰＵ１８は、Ｄｕａｌ−Ｌｉｎｋモードにおいて、スイッチ部１６を第１の状態に制御する。一方、ＣＰＵ１８は、Ｓｉｎｇｌｅ−Ｌｉｎｋモードにおいて、スイッチ部１６を第２の状態に制御する。
【００２２】
本実施例において、スイッチ部１６は、半導体チップ上に形成されている。好ましくは、スイッチ部１６は、第２の信号線３２（複数の信号線）を通る第２の信号ＴＭＤＳ＿Ｄａｔａ２の時間遅延を補正する補正回路（不図示）を有する。または、好ましくは、スイッチ部１６は、第２の信号線３２（複数の信号線）を通る第２の信号ＴＭＤＳ＿Ｄａｔａ２を一時的に保持するメモリ（不図示）を有し、このメモリは、複数の信号線を通る第２の信号ＴＭＤＳ＿Ｄａｔａ２の時間を揃えて出力する。また、スイッチ部１６のレイアウトに応じて、半導体チップ上の配線長を変更してもよい。このような構成により、第２の信号ＴＭＤＳ＿Ｄａｔａ２の時間遅延を補償し、第２の信号ＴＭＤＳ＿Ｄａｔａ２の時間を揃えて出力することができるため、より高性能な電子機器を提供することが可能となる。
【００２３】
画像投射装置１は、ケーブル４を介して接続された画像出力装置２がＳｉｎｇｌｅ−ＬｉｎｋモードまたはＤｕａｌ−Ｌｉｎｋモードのいずれに対応しているかを認識（判定）することができる。例えば、ＣＰＵ１８（制御部）は、信号処理部１７がケーブル４（第２のケーブル６）を介して伝送された信号を受信した場合、接続されている画像出力装置２がＤｕａｌ−Ｌｉｎｋモードに対応していると判定する。一方、ＣＰＵ１８は、信号処理部１７が信号を受信していない場合、画像出力装置２がＳｉｎｇｌｅ−Ｌｉｎｋモードに対応していると判定する。このようにＣＰＵ１８は、信号処理部１５（第１の検出部）により検出された第１の信号線３１の状態と信号処理部１７（第２の検出部）により検出された第２の信号線３２の状態とに基づいて、スイッチ部１６を制御する。また本実施例において、画像出力装置２は、画像投射装置１のＲＯＭ（不図示）にアクセスする。そして画像出力装置２は、ＲＯＭから取得したＥＤＩＤ情報（Ｅｘｔｅｎｄｅｄ  Ｄｉｓｐｌａｙ  Ｉｄｅｎｔｉｆｉｃａｔｉｏｎ  Ｄａｔａ）に基づいて、画像出力装置２が画像投射装置１に対して出力可能な解像度を画面上に表示することができる。
【００２４】
信号処理部１５、１７により処理された高速デジタル信号は、画像処理部１９により、画像投射装置１の赤色用パネル９、青色用パネル１０、および、緑色用パネル１１のそれぞれに対応する（適切な）解像度に変換され、パネルドライバ２０に送られる。パネルドライバ２０は、画像処理部１９からの出力信号に基づいて、赤色用パネル９、青色用パネル１０、および、緑色用パネル１１を駆動する。
【００２５】
本実施例において、画像出力装置２から画像投射装置１へ高速デジタル信号を伝送するため、ケーブル４を用いて画像投射装置１と画像出力装置２との間を接続する。ケーブル４は、第１のケーブル５、第２のケーブル６、制御信号線、および、ＧＮＤ線などの計２４本の導体線を有する。
【００２６】
画像投射装置１は、第１のケーブル５および第２のケーブル６のそれぞれを接続することが可能なコネクタ端子４１を有する。同様に、画像出力装置２は、第１のケーブル５および第２のケーブル６のそれぞれを接続することが可能なコネクタ端子４２を有する。本実施例において、画像投射装置１のコネクタ端子４１（ＤＶＩ入力端子）はＤｕａｌ−Ｌｉｎｋモードに対応しているが、画像出力装置２のコネクタ端子４２（ＤＶＩ出力端子）はＳｉｎｇｌｅ−Ｌｉｎｋモードに対応している。このため、第２のケーブル６（第２の信号ＴＭＤＳ＿Ｄａｔａ２の６本の導体線）は、画像出力装置２のコネクタ端子４２から先において未接続状態であり、片接続状態となって導体線が高インピーダンスになる。このとき、高インピーダンス状態にある第２のケーブル６（第２の信号ＴＭＤＳ＿Ｄａｔａ２の導体線）に流れ込んだノイズが導体線をアンテナにして空間に放射され、不要輻射が発生する。
【００２７】
次に、図２を参照して、本実施例における電子機器（画像投射装置１）の動作（不要輻射を低減するための動作)について説明する。図２は、画像投射装置１の動作を示すフローチャートである。図２の各ステップは、主にＣＰＵ１８の指令に基づいて実行される。
【００２８】
画像出力装置２から画像投射装置１（信号処理部１７）へＤＶＩなどの高速デジタル信号（映像信号）が入力されると、ステップＳ２０１において、ＣＰＵ１８は、映像信号の入力確認（ＤＶＩ入力確認）を行う。このときＣＰＵ１８は、第１のケーブル５を介して信号データが伝送されていること（画像出力装置２から第１の信号ＴＭＤＳ＿Ｄａｔａ１が入力されていること、すなわち第１の信号線３１の状態）を確認する。
【００２９】
続いてステップＳ２０２において、ＣＰＵ１８は、第２のケーブル６を介して信号データが伝送されているか否か（画像出力装置２から第２の信号ＴＭＤＳ＿Ｄａｔａ２が入力されているか否か、すなわち第２の信号線３２の状態）を判定する。この判定は、第１の信号ＴＭＤＳ＿Ｄａｔａ１を入力する信号処理部１５、および、第２の信号ＴＭＤＳ＿Ｄａｔａ２を入力する信号処理部１７から取得される情報（すなわち、第１の信号線３１の状態および第２の信号線３２の状態）に基づいて行われる。第２の信号ＴＭＤＳ＿Ｄａｔａ２が伝送されている場合、ステップＳ２０３に進み、ＣＰＵ１８は、Ｄｕａｌ−Ｌｉｎｋモードへ移行する。
【００３０】
一方、第２の信号ＴＭＤＳ＿Ｄａｔａ２が伝送されていない場合、ステップＳ２０４に進み、ＣＰＵ１８は、Ｓｉｎｇｌｅ−Ｌｉｎｋモードへ移行する。続いてステップＳ２０５において、ＣＰＵ１８は、第２の信号ＴＭＤＳ＿Ｄａｔａ２を伝送する第２のケーブル６に接続されたスイッチ部１６を制御し、第２の信号ＴＭＤＳ＿Ｄａｔａ２のデータラインをＧＮＤに接続する（切り替える）。
【００３１】
続いてステップＳ２０６において、ＣＰＵ１８は、第１のケーブル５を介して信号データが伝送されているか否か（画像出力装置２から第１の信号ＴＭＤＳ＿Ｄａｔａ１が入力されているか否か、すなわち第１の信号線３１の状態）を判定する。第１の信号ＴＭＤＳ＿Ｄａｔａ１が伝送されている場合、ステップＳ２０６を繰り返す。一方、第１の信号ＴＭＤＳ＿Ｄａｔａ１が伝送されていない場合、ステップＳ２０７へ進む。ステップＳ２０７において、ＣＰＵ１８は、第２の信号ＴＭＤＳ＿Ｄａｔａ２のデータラインを元に戻す（ＧＮＤから切り離す）。
【００３２】
このような構成により、第２の信号ＴＭＤＳ＿Ｄａｔａ２を伝送する高インピーダンス状態の導体線のインピーダンスが低下し、ノイズ成分がＧＮＤに流れ込む。このため、導体線をアンテナにして空間に放射される減少を防止または低減することができる。その結果、不要輻射が低減され、他の入力画像への影響や他の電気製品の誤作動などを回避することが可能となる。
【００３３】
本実施例において、電子機器は、画像出力装置からケーブルを介して画像信号を入力し、画像信号に対応する画像を投射する画像投射装置である。ただし本実施例は、これに限定されるものではなく、画像出力装置から、ケーブルを介して画像信号を入力し、画像信号に対応する画像を表示する画像表示装置（電子機器）にも適用可能である。
【実施例２】
【００３４】
次に、図３を参照して、本発明の実施例２における電子機器（不要輻射対策装置）について説明する。図３は、画像投射装置１ａ（電子機器）、画像出力装置２、および、画像投射装置１と画像出力装置２とを接続するケーブル４の構成を示すブロック図である。本実施例の画像投射装置１ａは、スイッチ部１６（切り替え部）に代えてスイッチ部２１（切断部）を有する点で、実施例１の画像投射装置１とは異なる。本実施例における他の構成は実施例１と同様であるため、それらの説明を省略する。
【００３５】
スイッチ部２１（切断部）は、コネクタ端子４１と信号処理部１７との間の第２の信号線３２の接続状態を切り替える。本実施例において、スイッチ部２１は、第２のケーブル６を介して入力された第２の信号ＴＭＤＳ＿Ｄａｔａ２を、信号処理部１７（信号処理ＩＣ）へ伝送するか、または、電気的に切り離すか（物理的に切断するか）を選択する（切り替える）。すなわちスイッチ部２１は、コネクタ端子４１を介して第２のケーブル６に接続された第２の信号線３２を信号処理部１７に電気的に接続する第１の状態と、第２の信号線３２を信号処理部１７から物理的に切断する第２の状態と、に切り替え可能である。スイッチ部２１は、例えば半導体チップ上に形成されている。
【００３６】
次に、図４を参照して、本実施例における電子機器（画像投射装置１ａ）の動作（不要輻射を低減するための動作)について説明する。図４は、画像投射装置１ａの動作を示すフローチャートである。図２の各ステップは、主にＣＰＵ１８の指令に基づいて実行される。なお本実施例において、図４のステップＳ４０１〜Ｓ４０４、Ｓ４０６は、図２のステップＳ２０１〜Ｓ２０４、Ｓ２０６（実施例１）と同様であるため、それらの説明を省略する。
【００３７】
ステップＳ４０５において、ＣＰＵ１８は、第２の信号ＴＭＤＳ＿Ｄａｔａ２を伝送する第２のケーブル６に接続されたスイッチ部２１を制御し、第２の信号ＴＭＤＳ＿Ｄａｔａ２のデータラインを信号処理部１７から電気的に切断する。そしてステップＳ４０６へ進む。ステップＳ４０６にて第１の信号ＴＭＤＳ＿Ｄａｔａ１が伝送されていない場合、ステップＳ４０７へ進み、ＣＰＵ１８は、第２の信号ＴＭＤＳ＿Ｄａｔａ２のデータラインを元に戻す（データラインを信号処理部１７に電気的に接続する）。
【００３８】
このような構成により、第２の信号ＴＭＤＳ＿Ｄａｔａ２を伝送する高インピーダンス状態の導体線のインピーダンスが低下し、ノイズ成分がＧＮＤに流れ込む。このため、導体線をアンテナにして空間に放射される減少を防止または低減することができる。その結果、不要輻射が低減され、他の入力画像への影響や他の電気製品の誤作動などを回避することが可能となる。
【実施例３】
【００３９】
次に、図５を参照して、本発明の実施例３における電子機器（不要輻射対策装置）について説明する。図５は、画像投射装置２８、画像出力装置２２（電子機器）、および、画像投射装置２８と画像出力装置２２とを接続するケーブル４の構成を示すブロック図である。
【００４０】
本実施例において、画像出力装置２２は、ＤＶＩ＿Ｄｕａｌ−Ｌｉｎｋモードで信号を出力し、画像表示装置（ＰＣモニタ）や画像投射装置（液晶プロジェクタ）などに映像信号（画像信号）を出力することができる。本実施例において、画像出力装置２２から出力される映像信号は、画像投射装置２８に入力される。
【００４１】
画像出力装置２２は、様々な画像信号を作り出して出力することが可能な画像処理部２３（画像処理ＩＣ）を有する。また画像出力装置２２は、画像処理部２３から出力された画像信号をＴＭＤＳ信号（第１の信号ＴＭＤＳ＿Ｄａｔａ１、第２の信号ＴＭＤＳ＿Ｄａｔａ２）に変換する信号処理部２４、２５（信号処理ＩＣ）を有する。信号処理部２４、２５により変換されたＴＭＤＳ信号は、高速デジタル信号として、第１のケーブル５と第２のケーブル６とを含むケーブル４（ＤＶＩ＿Ｄｕａｌ−Ｌｉｎｋケーブル）を介して、画像投射装置２８の信号処理部２９（信号処理ＩＣ）へ伝送される。すなわち、信号処理部２４（第１の信号処理部）により変換された第１の信号ＴＭＤＳ＿Ｄａｔａ１は、第１の信号線３３を通り、第１のケーブル５を介して信号処理部２９へ出力される。また、信号処理部２５（第２の信号処理部）により変換された第２の信号ＴＭＤＳ＿Ｄａｔａ２は、第２の信号線３４を通り、第２のケーブル６を介して信号処理部２９へ出力される。
【００４２】
スイッチ部２６（切り替え部）は、コネクタ端子５２と信号処理部２５との間の第２の信号線３４の接続状態を切り替える。本実施例において、スイッチ部２６は、信号処理部２５から出力された第２の信号ＴＭＤＳ＿Ｄａｔａ２を、基板上のＧＮＤに接続する（接地する）か、または、第２のケーブル６を介して画像投射装置２８へ伝送するかを選択する（切り替える）。スイッチ部２６は、例えば半導体チップ上に形成されている。
【００４３】
信号処理部２９は、画像出力装置２２からケーブル４（第１のケーブル５）を介して入力されたデジタル信号（第１の信号ＴＭＤＳ＿Ｄａｔａ１）を処理し、処理したデジタル信号を画像処理部１９に出力する。パネルドライバ２０は、画像処理部１９からの出力信号に基づいて、赤色用パネル９、青色用パネル１０、および、緑色用パネル１１を駆動する。
【００４４】
本実施例において、画像出力装置２２から画像投射装置２８へ高速デジタル信号を伝送するため、ケーブル４を用いて画像投射装置２８と画像出力装置２２との間を接続する。ケーブル４は、第１のケーブル５、第２のケーブル６、制御信号線、および、ＧＮＤ線などの計２４本の導体線を有する。
【００４５】
本実施例において、画像出力装置２２のコネクタ端子５２（ＤＶＩ出力端子）はＤｕａｌ＿Ｌｉｎｋモードに対応しているが、画像投射装置２８のコネクタ端子５１（ＤＶＩ入力端子）はＳｉｎｇｌｅ−Ｌｉｎｋモードに対応している。このため、第２のケーブル６（第２の信号ＴＭＤＳ＿Ｄａｔａ２の導体線）は、画像投射装置２８のコネクタ端子５１から先において未接続状態であり、片接続状態となって導体線が高インピーダンスになる。このとき、高インピーダンス状態にある第２のケーブル６（第２の信号ＴＭＤＳ＿Ｄａｔａ２の導体線）に流れ込んだノイズが導体線をアンテナにして空間に放射され、不要輻射が発生する。
【００４６】
次に、図６を参照して、本実施例における電子機器（画像出力装置２２）の動作（不要輻射を低減するための動作)について説明する。図６は、画像出力装置２２の動作を示すフローチャートである。図６の各ステップは、主にＣＰＵ２７（制御部）の指令に基づいて実行される。
【００４７】
画像出力装置２２が画像投射装置２８（信号処理部２９）へＤＶＩなどの高速デジタル信号（映像信号）の出力を開始すると、ステップＳ６０１において、ＣＰＵ２７は、映像信号の出力確認（ＤＶＩ出力確認）を行う。このときＣＰＵ２７は、第１のケーブル５を介して信号データが伝送されていること（画像出力装置２２から第１の信号ＴＭＤＳ＿Ｄａｔａ１が出力されていること、すなわち第１の信号線３３の状態）を確認する。
【００４８】
続いてステップＳ６０２において、ＣＰＵ２７は、第２のケーブル６を介して信号データが伝送されているか否か（すなわち、画像出力装置２２から第２の信号ＴＭＤＳ＿Ｄａｔａ２が出力されているか否か）を判定する。この判定は、第１の信号ＴＭＤＳ＿Ｄａｔａ１を出力する信号処理部２４、および、第２の信号ＴＭＤＳ＿Ｄａｔａ２を出力する信号処理部２５から取得される情報に基づいて行われる。第２の信号ＴＭＤＳ＿Ｄａｔａ２が伝送されている場合、ステップＳ６０３に進み、ＣＰＵ２７は、Ｄｕａｌ−Ｌｉｎｋモードへ移行する。
【００４９】
一方、第２の信号ＴＭＤＳ＿Ｄａｔａ２が伝送されていない場合、ステップＳ６０４に進み、ＣＰＵ２７は、Ｓｉｎｇｌｅ−Ｌｉｎｋモードへ移行する。続いてステップＳ６０５において、ＣＰＵ２７は、第２の信号ＴＭＤＳ＿Ｄａｔａ２を伝送する第２のケーブル６に接続されたスイッチ部２６を制御し、第２の信号ＴＭＤＳ＿Ｄａｔａ２のデータラインをＧＮＤに接続する（切り替える）。
【００５０】
続いてステップＳ６０６において、ＣＰＵ２７は、第１のケーブル５を介して信号データが伝送されているか否か（画像出力装置２２から第１の信号ＴＭＤＳ＿Ｄａｔａ１が出力されているか否か、すなわち第１の信号線３３の状態）を判定する。第１の信号ＴＭＤＳ＿Ｄａｔａ１が伝送されている場合、ステップＳ６０６を繰り返す。一方、第１の信号ＴＭＤＳ＿Ｄａｔａ１が伝送されていない場合、ステップＳ６０７へ進む。ステップＳ６０７において、ＣＰＵ２７は、第２の信号ＴＭＤＳ＿Ｄａｔａ２のデータラインを元に戻す（ＧＮＤから切り離す）。
【００５１】
このような構成により、第２の信号ＴＭＤＳ＿Ｄａｔａ２を伝送する高インピーダンス状態の導体線のインピーダンスが低下し、この導体線に流れ込むノイズ成分がＧＮＤに流れ込む。このため、導体線をアンテナにして空間に放射される減少を防止または低減することができる。その結果、不要輻射が低減され、他の入力画像への影響や他の電気製品の誤作動などを回避することが可能となる。
【００５２】
各実施例によれば、画像投射装置（プロジェクタ）や画像表示装置（ＰＣモニタ）などの画像入力装置と、画像出力装置（ＰＣ）との間をケーブルを介して接続して高速デジタル信号を伝送する場合に生じる不要輻射の発生を防止（低減）することができる。より具体的には、画像入力装置と画像出力装置との関係でケーブル内の配線が片側接続になって配線が不要輻射のアンテナとして作用することを効果的に防止することが可能となる。このため各実施例によれば、不要輻射を低減することが可能な電子機器を提供することができる。
【００５３】
以上、本発明の好ましい実施例について説明したが、本発明はこれらの実施例に限定されず、その要旨の範囲内で種々の変形及び変更が可能である。
【符号の説明】
【００５４】
１    画像投射装置（電子機器）
１５  信号処理部（第１の信号処理部）
１６  スイッチ部
１７  信号処理部（第２の信号処理部）
１８  ＣＰＵ（制御部）
４１  コネクタ端子
【図１】
2018063275.tif 000003
【図２】
2018063275.tif 000004
【図３】
2018063275.tif 000005
【図４】
2018063275.tif 000006
【図５】
2018063275.tif 000007
【図６】
2018063275.tif 000008